(57)【要約】【課題】色ムラを低減させたＬＥＤ照明装置を提供する。【解決手段】照明器具１０００は、基板に一列に配置された複数のＬＥＤと、各ＬＥＤの放射した光を反射する反射器４００と、一列に配置された複数のＬＥＤを覆う透光性カバー５００とを備える。お互いの間に一つのＬＥＤ（２）を挟む２つのＬＥＤのうち一方のＬＥＤ（１）から放射された直接光と直接光が反射器４００の反射部４０２１で反射された反射光とによる透光性カバー５００の基板側の面における照射エリアは、他方のＬＥＤ（３）から放射された直接光と直接光が反射器４００の反射部４０２１で反射された反射光とによる透光性カバー５００の基板側の面における照射エリアの一部と範囲１２で重なる。【選択図】図４
2011249265.tif 000002
【特許請求の範囲】
【請求項１】
基板に一列に配置された複数のＬＥＤと、
各ＬＥＤの放射した光を反射する反射部と、
前記一列に配置された前記複数のＬＥＤを覆う透光性カバーと
を備え、
前記複数のＬＥＤの各ＬＥＤは、
透光性カバーの前記基板の側の面に向けて光を放射すると共に、前記一列の方向と前記基板の前記複数のＬＥＤのＬＥＤ配置面に対する垂直方向との双方向の２本の直線によって張られる面の法線方向からみた場合の遮光角θと、隣接する他の前記ＬＥＤとの前記一列方向の距離Ａとの積Ａ・ｔａｎθが、前記他のＬＥＤと前記透光性カバーとの、前記基板の前記ＬＥＤ配置面に対する垂直方向の距離Ｂよりも小さいことを特徴とするＬＥＤ照明装置。
【請求項２】
基板に一列に配置された複数のＬＥＤと、
各ＬＥＤの放射した光を反射する反射部と、
前記一列に配置された前記複数のＬＥＤを覆う透光性カバーと
を備え、
前記複数のＬＥＤの各ＬＥＤは、
前記透光性カバーの前記基板の側の面に向けて光を放射し、
お互いの間に一つのＬＥＤを挟む２つのＬＥＤのうち一方のＬＥＤから放射された直接光と前記直接光が前記反射部で反射された反射光とを含む前記透光性カバーの前記基板の側の面における照射エリアは、他方のＬＥＤから放射された直接光と前記直接光が前記反射部で反射された反射光とを含む前記透光性カバーの前記基板の側の面における照射エリアと重なることを特徴とする請求項１記載のＬＥＤ照明装置。
【請求項３】
前記ＬＥＤ照明装置は、
前記複数のＬＥＤとして、複数のＬＥＤからなる第一ＬＥＤ群と、前記第一ＬＥＤ群のＬＥＤに対して前記基板に交互に配置された複数のＬＥＤからなる第二ＬＥＤ群とを有し、
前記ＬＥＤ照明装置は、さらに、
前記第一ＬＥＤ群を点灯する第一点灯部と、
前記第二ＬＥＤ群を点灯する第二点灯部と、
前記第一点灯部と前記第二点灯部との制御を介して前記第一ＬＥＤ群と前記第二ＬＥＤ群との光出力を制御する点灯制御部と
を備えたことを特徴とする請求項２記載のＬＥＤ照明装置。
【請求項４】
前記第一ＬＥＤ群は、
第一の色温度のＬＥＤと第二の色温度のＬＥＤからなり、
前記第二ＬＥＤ群は、
前記第一の色温度のＬＥＤからなり、
前記第一ＬＥＤ群と前記第二ＬＥＤ群との全体における、前記第一の色温度のＬＥＤと前記第二の色温度のＬＥＤとの個数の比は、
２Ｘ＋１：１（Ｘは１以上の整数）であることを特徴とする請求項３記載のＬＥＤ照明装置。
【請求項５】
前記第一ＬＥＤ群を構成するＬＥＤの色温度と、前記第二ＬＥＤ群を構成するＬＥＤの色温度とは、
異なることを特徴とする請求項３記載のＬＥＤ照明装置。
【請求項６】
前記第一ＬＥＤ群を構成するＬＥＤの色温度は、いずれも第一の色温度であり、
前記第二ＬＥＤ群を構成するＬＥＤの色温度は、いずれも第二の色温度であることを特徴とする請求項５記載のＬＥＤ照明装置。
【発明の詳細な説明】
【技術分野】
【０００１】
この発明は光源としてＬＥＤを用いたＬＥＤ照明装置に関する。
【背景技術】
【０００２】
従来、２種類以上の異なる色温度のＬＥＤ光源を基板に配置し、何れか又は全てのＬＥＤ光源の光出力を制御することにより、色温度を変化できる照明装置はあった（例えば特許文献１）。しかし、一般的なＢｌｕｅ−ＹＡＧの白色ＬＥＤでは、低い色温度のＬＥＤ光源は高い色温度のＬＥＤ光源に比べ光束が低くなるため、照度の振れ幅が大きくなる。また何れかのＬＥＤ光源の光出力をＯＦＦにした場合、指向角が重ならず光のムラが発生してしまう。
【０００３】
また、作業を行う空間において、色温度の高いＬＥＤと色温度の低いＬＥＤとを１：１の割合で制御を行うと、色温度の振れ幅が大きくなる。
【先行技術文献】
【特許文献】
【０００４】
【特許文献１】特開２００９−２０６０３７号公報
【発明の概要】
【発明が解決しようとする課題】
【０００５】
この発明は、光のムラ、色ムラを低減させたＬＥＤ照明装置の提供を目的とする。
【課題を解決するための手段】
【０００６】
この発明のＬＥＤ照明装置は、
基板に一列に配置された複数のＬＥＤと、
各ＬＥＤの放射した光を反射する反射部と、
前記一列に配置された前記複数のＬＥＤを覆う透光性カバーと
を備え、
前記複数のＬＥＤの各ＬＥＤは、
前記透光性カバーの前記基板の側の面に向けて光を放射し、
お互いの間に一つのＬＥＤを挟む２つのＬＥＤのうち一方のＬＥＤから放射された直接光と前記直接光が前記反射部で反射された反射光とを含む前記透光性カバーの前記基板の側の面における照射エリアは、他方のＬＥＤから放射された直接光と前記直接光が前記反射部で反射された反射光とを含む前記透光性カバーの前記基板の側の面における照射エリアと重なることを特徴とする。
【発明の効果】
【０００７】
この発明により、光のムラ、色ムラを低減させたＬＥＤ照明装置を提供できる。
【図面の簡単な説明】
【０００８】
【図１】実施の形態１の照明器具１０００の斜視図。
【図２】実施の形態１の照明器具１０００内に配置されるＬＥＤユニットの短手方向の断面図。
【図３】実施の形態１の照明器具１０００内に配置されるＬＥＤユニットの長手方向の断面図。
【図４】図３の範囲１１の拡大図。
【図５】実施の形態１の点灯ユニット２００の回路ブロック図。
【図６】実施の形態１の透光性カバー５００の発光部と、ＬＥＤモジュールの発光状態を示す図。
【図７】実施の形態１の他の反射器を使用した場合の長手方向の断面図。
【図８】実施の形態１のＬＥＤユニットのＸ方向矢視。
【図９】実施の形態２の照明器具１０００における透光性カバー５００の発光部と、ＬＥＤモジュールの発光状態を示す図。
【図１０】実施の形態２の色温度の比率を説明するための図。
【発明を実施するための形態】
【０００９】
実施の形態１．
図１〜図８を参照して実施の形態１を説明する。
図１は、照明器具１０００の斜視図である。
図２は、照明器具１０００内に配置されるＬＥＤユニットの短手方向の断面図である。
図３は、照明器具１０００内に配置されるＬＥＤユニットの長手方向の断面図。
図４は、図３の破線で示す範囲１１の拡大図である。
図５は、点灯ユニット２００の回路ブロック図である。
図６は、透光性カバー５００の発光部と、ＬＥＤモジュールの発光状態を示す図である。
図７は、他の反射器を使用した場合の長手方向の断面図である。
図８は、ＬＥＤユニットのＸ方向矢視を示す図である。
【００１０】
（照明器具１０００の概形）
図１に示す照明器具１０００は、器具本体１００と、器具本体１００内に取り付けられる点灯ユニット２００と、点灯ユニット２００に電気的に接続され、器具本体１００内に配置されるＬＥＤモジュール３００と、器具本体１００内においてＬＥＤモジュール３００の実装面に取り付けられる反射器４００と、反射器４００の前面を覆うように取り付けられる透光性カバー５００と、を備える。点灯ユニット２００と、ＬＥＤモジュール３００と、反射器４００と、透光性カバー５００とからなる構成をＬＥＤユニットという。図２はＬＥＤユニットの短手方向断面であり、図３はＬＥＤユニットの長手方向断面（点灯ユニット２００を省略）である。
【００１１】
（点灯ユニット２００）
図５に示すように、点灯ユニット２００は、２つの出力系統（第一点灯回路２２０、第二点灯回路２３０）を持ち、コントローラ部２４０によってそれぞれの出力系統は独立して出力電力が可変となっている。
【００１２】
図５に示すように、ＬＥＤモジュール３００は、第一ＬＥＤ群３１０と、第二ＬＥＤ群３２０と、第一ＬＥＤ群３１０および第二ＬＥＤ群３２０が実装されるＬＥＤ基板３３０を備える。点灯ユニット２００の一方の出力系統である第一点灯回路２２０に第一ＬＥＤ群３１０が電気的に接続され、点灯ユニット２００の他方の出力系統である第二点灯回路２３０に第二ＬＥＤ群３２０が電気的に接続される。
【００１３】
第一ＬＥＤ群３１０は、６個の第一ＬＥＤチップ３１１（以下、第一ＬＥＤ素子３１１ともいう）からなる。第二ＬＥＤ群３２０は、６個の第二ＬＥＤチップ３２１（以下、第二ＬＥＤ素子３２１ともいう）からなる。
【００１４】
次に、図５を参照して、点灯ユニット２００の動作について説明する。設定部２５０の点灯モード切替部２５１によって、点灯モード１、点灯モード２、点灯モード３、を切り替える。点灯モード１は第一ＬＥＤ群３１０と第二ＬＥＤ群３２０の双方を点灯し、点灯モード２は第一ＬＥＤ群３１０のみを点灯し、点灯モード３は第二ＬＥＤ群３２０のみを点灯するモードである。また、可変抵抗２５２により照度を調整する。
【００１５】
コントローラ部２４０（点灯制御部）は、点灯モード切替部２５１によって設定された点灯モード及び可変抵抗２５２によって指定された明るさで、第一ＬＥＤ群３１０、第二ＬＥＤ群３２０を点灯させる。
【００１６】
（ＬＥＤ配置）
図８は、透光性カバー５００を取り外した状態で、図１のＸ方向からみた状態を示す図である。図８及び図３に示すように、第二ＬＥＤ群３２０を構成する各第二ＬＥＤ素子３２１は、ＬＥＤ基板３３０に実装される第一ＬＥＤ群３１０の個々の第一ＬＥＤ素子３１１の間に配置される。つまり、ＬＥＤ基板３３０上には、図８に示すように、第一ＬＥＤ群３１０を構成する第一ＬＥＤ素子３１１と、第二ＬＥＤ群３２０を構成する第二ＬＥＤ素子３２１とが直線状（一列に）に交互に実装される。図３ではＷ１が第一ＬＥＤ素子３１１であり、Ｗ２が第二ＬＥＤ素子３２１である。図３に示すようにＬＥＤの基板上の配置ピッチは「ａ」である。
【００１７】
（反射器４００）
図８に示すように、反射器４００は、正面がほぼ長方形状をなし、第一ＬＥＤチップ３１１および第二ＬＥＤチップ３２１が挿入される１２個の開口部４０１（図８では６つを示した）と、この開口部４０１の周囲に、第一ＬＥＤチップ３１１および第二ＬＥＤチップ３２１が発する光を反射する反射部４０２と、を備える。
【００１８】
（反射部４２０１、４２０２）
図８に示すように、反射部４０２は、反射器４００の長手方向に設けられる２つの第一反射部４０２１と、反射器４００の短手方向に設けられる２つの第二反射部４０２２と、からなる。
【００１９】
（遮光角の交点Ａ）
図３の拡大図である図４を参照して遮光角の交点について説明する。図４は図３の範囲１１の拡大図であり、第一反射部４０２１の形状を単純化している。図４ではＬＥＤをＬＥＤ（１）〜ＬＥＤ（３）として示した。ＬＥＤ（１）が第一ＬＥＤ素子３１１であればＬＥＤ（３）も第一ＬＥＤ素子３１１であり、ＬＥＤ（１）が第二ＬＥＤ素子３２１であればＬＥＤ（３）も第二ＬＥＤ素子３２１である。図３、図４に示すように、第一反射部４２０１は、隣り合う第一ＬＥＤ素子３１１（または隣り合う第二ＬＥＤ素子３２１）の遮光角の交点Ａが、透光性カバー５００と反射器４００との間となる高さ及び角度θ２に形成される。つまり、第一ＬＥＤ素子３１１（または第二ＬＥＤ素子３２１）から遮光角の交点Ａまでの距離を距離ｄ、第一ＬＥＤ素子３１１（または第二ＬＥＤ素子３２１）から透光性カバー５００までの距離を距離ｂとするとき、距離ｄと距離ｂとの関係は、
距離ｄ＜距離ｂ
となる。
つまり、図４に示すように、複数のＬＥＤの各ＬＥＤは、透光性カバー５００のＬＥＤ基板３３０側の面である基板側面５０１に向けて光を放射する。この場合、複数のＬＥＤが並ぶ一列方向（Ｙ方向）とＬＥＤ基板３３０のＬＥＤ配置面（直線Ｌ１が対応する）に対する垂直方向（Ｘ方向）との双方向の２本の直線によって張られる面の法線方向（Ｚ方向）からみた場合の遮光角θと、隣接する隣接ＬＥＤとの一列方向（Ｙ方向）の距離Ａとの積Ａ・ｔａｎθが、隣接する他のＬＥＤの発光面位置と透光性カバー５００の基板側面５０１との、ＬＥＤ基板３３０のＬＥＤ配置面に対する垂直方向（Ｘ方向）の距離Ｂよりも小さい。
すなわち、
Ａ・ｔａｎθ＜Ｂ      （式１）
である。
ここで、
Ａ：基準ＬＥＤ（各ＬＥＤ）と隣接ＬＥＤとのＹ方向の距離、
θ：前記法線方向からみたときの基準ＬＥＤの隣接ＬＥＤ側の遮光角、
Ｂ：隣接ＬＥＤの発光面と基板側面５０１とのＸ方向距離
である。
例えば基準ＬＥＤをＬＥＤ（３）、隣接ＬＥＤを左隣のＬＥＤ（２）とすると、
ＬＥＤ（３）、ＬＥＤ（２）については、
Ａ→ａ，
θ→θ２，
Ｂ→ｂ，
であるから、
ａ・ｔａｎθ２＜ｂ
となる。隣接ＬＥＤをＬＥＤ（３）の右隣のＬＥＤ（図示していない）とした場合も同様に（式１）が成り立つ。また、図４ではＬＥＤの間隔は距離ａの等ピッチとしており、また遮光角も各ＬＥＤともθ２としているが、一例である。等ピッチでなくても構わないし、各ＬＥＤが同じ遮光角でなくても構わない。基準ＬＥＤと隣接ＬＥＤとの間に上記（式１）が成り立てばよい。
【００２０】
したがって、隣り合う第一ＬＥＤ素子３１１（第一ＬＥＤ素子３１１がＬＥＤ（１）とＬＥＤ（３）の場合）が発光した際に、透光性カバー５００に映りこむ照射エリアは、互いに重なりあう（図４の範囲１２）。また、隣り合う第二ＬＥＤ素子３２１（第二ＬＥＤ素子３２１がＬＥＤ（１）とＬＥＤ（３）の場合）が発光した際に、透光性カバー５００に映りこむ照射エリアも同様に互いに重なりあう（図４の範囲１２）。
【００２１】
このように、お互いの間に一つのＬＥＤ（２）を挟む２つのＬＥＤ（１）とＬＥＤ（３）のうち一方のＬＥＤ（１）から放射された直接光と直接光が反射器４００の第一反射部４０２１で反射された反射光とによる透光性カバー５００の基板側の面における照射エリアは、他方のＬＥＤ（３）から放射された直接光と直接光が反射器４００の第一反射部４０２１で反射された反射光とによる透光性カバー５００の基板側の面における照射エリアの一部と範囲１２で重なる。
【００２２】
（透光性カバー５００の光）
次に、本実施の形態１における透光性カバー５００の光について説明する。
図６は、本実施の形態１の照明器具１０００における透光性カバー５００にあたる光と、ＬＥＤモジュール（ＬＥＤ素子）の発光状態を示す図である。図６は図１のＸ方向矢視である。図６ではＷ１が第一ＬＥＤチップ３１１であり、Ｗ２が第二ＬＥＤチップ３２１である。Ｗ１とＷ２とは色温度が異なることを想定するが、色温度が同じでもよい。
【００２３】
図６の（ａ）は、第一ＬＥＤ群３１０を構成するＬＥＤチップＷ１と、第二ＬＥＤ群３２０を構成するＬＥＤチップＷ２とを同時に点灯しているときの状態（透光性カバー５００の配光）を示している。
図６の（ｂ）は、（ａ）におけるＬＥＤモジュール３００の発光状態を示している。
【００２４】
図６の（ｃ）は、第一ＬＥＤ群３１０を構成するＬＥＤチップＷ１を点灯させ、第二ＬＥＤ群３２０を構成するＬＥＤチップＷ２を消灯しているときの状態（透光性カバー５００の配光）を示している。
図６の（ｄ）は、（ｃ）におけるＬＥＤモジュール３００の発光状態を示している。
【００２５】
図６の（ｃ）に示すように、第一ＬＥＤ群３１０を点灯させ、第二ＬＥＤ群３２０を消灯させても、図４で説明したようにＬＥＤ（１）とＬＥＤ（２）との照射エリアが一部重なるので、透光性カバー５００は、ほぼ均等な明るさとなる。また、第一ＬＥＤ群３１０を消灯させ、第二ＬＥＤ群３２０を点灯させる場合も同様である。
【００２６】
また、第一ＬＥＤ群３１０と第二ＬＥＤ群３２０とを共に点灯させたときは、図４からわかるように、第一ＬＥＤ群３１０を構成する隣り合うＬＥＤチップＷ１が発する光の交点（遮光角交点Ａ）の鉛直線上に第二ＬＥＤ群３２０を構成するＬＥＤチップＷ２（図４のＬＥＤ（２）に相当）が配置され、また、第二ＬＥＤ群３２０を構成するＬＥＤチップＷ２が発する光の交点の鉛直線上に第一ＬＥＤ群３１０を構成するＬＥＤチップＷ１が配置されるので、透光性カバー５００はほぼ均等な明るさとなる。
【００２７】
なお、反射器４００の第一反射部の形状を図７のような形状としてもよい。すなわち図３の破線の囲みで示す範囲１３の第一反射部４０２１は、曲率を有する反射面であるが、図７に破線で示す範囲１４は第一反射部４０２１は平坦な面である。つまり、第一反射部４０２１は曲率を持った面でもよいし、平坦な面でもよい。このように、ＬＥＤ光源からの指向性を変化させる反射板を用いた場合でも、ＬＥＤ光源からの直接光が１つ飛ばしたＬＥＤの配光と重ねることができ、透光性カバー５００を、光ムラ、色ムラの少ない、ほぼ均等の明るさとすることができる。
【００２８】
実施の形態２．
本実施の形態２は、実施の形態１のＬＥＤモジュールのうち、第一ＬＥＤ群３１０を構成するＬＥＤチップの光色を複数とする構成である。
【００２９】
図９に示すように、第一ＬＥＤ群３１０は、色温度が、例えば５０００［Ｋ］（Ｋ（ケルビン）を［Ｋ］と記す）の第一光色ＬＥＤチップＷ１と、３０００［Ｋ］の第二光色ＬＥＤチップＲと、からなり、第一光色ＬＥＤチップＷ１と第二光色ＬＥＤチップＲが交互に配列される。第二ＬＥＤ群３２０はすべて第一光色ＬＥＤチップＷ１であるが、図９では第二ＬＥＤ群３２０のＬＥＤであることを示すため「Ｗ２」としている。つまり図９ではＷ２はＷ１と同じ色温度である。
【００３０】
ここで、ＬＥＤモジュール３００は、１列に配置されたＬＥＤチップを１つ飛ばしに出力制御が可能な２回路（第一点灯回路２２０、第二点灯回路２３０）を持つ基板に、ｘを整数として、異なる色温度（５０００［Ｋ］と３０００［Ｋ］）のＬＥＤ光源を、
Ｈ（５０００［Ｋ］）：Ｌ（３０００［Ｋ］）＝２ｘ＋１：１
の割合（例えば、ｘ＝１のとき３：１、ｘ＝２のとき５：１、ｘ＝３のとき７：１、・・・）で配置する。
【００３１】
図１０は、上記の「２ｘ＋１：１」を模式的に説明する図である。図１０の左側が第一ＬＥＤ群３１０、右側が第二ＬＥＤ群３２０を示す。第一ＬＥＤ群３１０の斜線部は第二光色ＬＥＤチップＲを示し、斜線のない部分が第一光色ＬＥＤチップＷ１を示す。第二ＬＥＤ群３２０は、全部が第一光色ＬＥＤチップＷ１である。１行目がｘ＝１，２行目がｘ＝２の場合を示している。他の行も同様である。図１０に示すように、第一ＬＥＤ群３１０と第二ＬＥＤ群３２０とのＬＥＤ数を同じ数とした場合、
ｘ＝１とは、各ＬＥＤ群を２分割した場合に相当し、
ｘ＝２とは、各ＬＥＤ群を３分割した場合に相当し、
ｘ＝３とは、各ＬＥＤ群を４分割した場合に相当する。
以下同様である。
【００３２】
上限の色温度は、２Ｘ＋１側のＬＥＤのみ（第二ＬＥＤ群３２０のみ）発光する場合であり、Ｈ［Ｋ］となる。
また、最も明るくなる場合の両方の点灯回路の出力を１００％にすると、
｛（２Ｘ＋１）Ｈ＋Ｌ｝／（２Ｘ＋２）［Ｋ］
となり、下限の色温度は、
Ｈ：Ｌ＝Ｘ：１
になる場合で、
（ＨＸ＋Ｌ）／（Ｘ＋１）［Ｋ］
になる。
【００３３】
例えば、５０００［Ｋ］と３０００［Ｋ］を３：１の比率で配置すると、両側の回路１００％の場合（第一点灯回路２２０、第二点灯回路２３０ともに１００％出力の場合）、４５００［Ｋ］となる。これは図１０の１行目に相当する。
【００３４】
また、第一点灯回路２２０をＯＦＦにすることにより、５０００［Ｋ］のＬＥＤ光源（第二ＬＥＤ群３２０）のみが発光する。
【００３５】
一方、第二点灯回路２３０をＯＦＦにすることにより、図１０の１行目のように、５０００［Ｋ］：３０００［Ｋ］が１：１の割合で発光し、色温度が４０００［Ｋ］となる。
【００３６】
このように、図１０に示すような配置で「２Ｘ＋１：１」の割合で基板に異なる色温度のＬＥＤ光源を配置した場合、第一ＬＥＤ群３１０を点灯する第一点灯回路２２０をＯＦＦにすると、同一のＬＥＤ光源（第二ＬＥＤ群３２０）が発光する。
逆に、第二ＬＥＤ群３２０を点灯する第二点灯回路２３０をＯＦＦにすると、異なる色温度のＬＥＤ光源である第一光色ＬＥＤチップＷ１と第二光色ＬＥＤチップＲとが、「Ｘ：１」の割合が発光する。
【００３７】
なお、照度が必要な場合は、「２Ｘ＋１」個に高い色温度のＬＥＤ光源を配置する。
【００３８】
また、照度抑える場合は、「２Ｘ＋１」個に低い色温度のＬＥＤ光源を配置する。
【００３９】
実施の形態２により、色温度の変化させることが可能であり、かつ、色温度を変化させる場合にも色ムラの少ないＬＥＤ照明器具を提供できる。
【００４０】
実施の形態２の照明器具によれば、第一点灯回路２２０の出力をＯＦＦすることにより、１種のみのＬＥＤ光源が発光し、第二点灯回路２３０の出力をＯＦＦすることにより、Ｘ：１の割合で異なる色温度のＬＥＤ光源が発光させることができる。
【００４１】
実施の形態２の照明器具によれば、異なる色温度の２種類のＬＥＤ光源を「２ｘ＋１：１」の比率で配置することにより、多彩な照度と色温度とを有する照明器具を提供できる。
【００４２】
実施の形態２の照明器具（ＬＥＤ照明装置）によれば、光のムラ、色ムラを低減すると共に、色温度の混合割合に一定の比率「２ｘ＋１：１」を持たせることにより、環境に適した色温度・照度を提供することが可能になる。
【符号の説明】
【００４３】
Ａ  遮光角の交点、１１，１２，１３，１４  範囲、１０００  照明器具、１００  器具本体、２００  点灯ユニット、２１０  ＡＣ／ＤＣコンバータ、２２０  第一点灯回路、２３０  第二点灯回路、２４０  コントローラ部、２５０  設定部、２５１  点灯モード切替部、２５２  可変抵抗、３００  ＬＥＤモジュール、３１０  第一ＬＥＤ群、３１１  第一ＬＥＤ素子、３２０  第二ＬＥＤ群、３２１  第二ＬＥＤ素子、３３０  ＬＥＤ基板、４００  反射器、４０１  開口部、４０２  反射部、４０２１  第一反射部、４０２２  第二反射部、５００  透光性カバー。
【図１】
2011249265.tif 000003
【図２】
2011249265.tif 000004
【図３】
2011249265.tif 000005
【図４】
2011249265.tif 000006
【図５】
2011249265.tif 000007
【図６】
2011249265.tif 000008
【図７】
2011249265.tif 000009
【図８】
2011249265.tif 000010
【図９】
2011249265.tif 000011
【図１０】
2011249265.tif 000012